(57)【要約】【課題】  カラー液晶パネルの外観検査にモノクロＣＣＤカメラを使用しても、検査時間の短縮化が図れる液晶パネルの検査画像作成並びに外観検査ができることを目的とする。【解決手段】  ダイクロイックフィルター９により赤色、緑色、青色の成分の透過光量を同一レベルに調整したカラー液晶パネル３のカラー画像をモノクロＣＣＤカメラ１１で取り込むようにしたので、モノクロＣＣＤカメラ１１はカラー液晶パネル３のカラー画像の赤色、緑色、青色の成分について同一の輝度信号を出力することとなり、１画面処理でカラー液晶パネル３の外観検査を行うことが可能になり、検査時間の短縮ができる。【選択図】        図１
2005148670.tif 000002
【特許請求の範囲】
【請求項１】
ダイクロイックフィルターにより赤色、緑色、青色の成分の透過光量を同一レベルに調整したカラー液晶パネルのカラー画像をモノクロＣＣＤカメラで取り込むことを特徴とする液晶パネルの検査画像作成方法。
【請求項２】
前記カラー液晶パネルと前記モノクロＣＣＤカメラとの間に前記ダイクロイックフィルターを配置したことを特徴とする請求項１記載の液晶パネルの検査画像作成方法。
【請求項３】
前記カラー液晶パネルはバックライトでバックライト照明され、該バックライトと該カラー液晶パネルとの間に前記ダイクロイックフィルターを配置したことを特徴とする請求項１記載の液晶パネルの検査画像作成方法。
【請求項４】
前記請求項１〜３のいずれかに記載の液晶パネルの検査画像作成方法により作成されたカラー液晶パネルのカラー画像を取り込んだモノクロＣＣＤカメラが出力する赤色、緑色、青色の成分を有する画像信号を所定のしきい値を用いて２値化する画像処理を行い、２値化画像について所定のしきい値により赤色、緑色、青色の成分のいずれかについての白色又は黒色の欠陥を検出するようにしたことを特徴とする液晶パネルの外観検査方法。
【請求項５】
カラー画像を表示するカラー液晶パネルと、
カラー液晶パネルのカラー画像を取り込むモノクロＣＣＤカメラと、
モノクロＣＣＤカメラに取り込まれるカラー液晶パネルのカラー画像の赤色、緑色、青色の成分の透過光量を同一レベルに調整するダイクロイックフィルターと、
を備えたことを特徴とする液晶パネルの検査画像作成装置。
【請求項６】
前記カラー液晶パネルと前記モノクロＣＣＤカメラとの間に前記ダイクロイックフィルターを配置したことを特徴とする請求項５記載の液晶パネルの検査画像作成装置。
【請求項７】
前記カラー液晶パネルをバックライト照明するバックライトを備え、該バックライトと該カラー液晶パネルとの間に前記ダイクロイックフィルターを配置したことを特徴とする請求項５記載の液晶パネルの検査画像作成装置。
【請求項８】
前記請求項５〜７のいずれかに記載の液晶パネルの検査画像作成装置と、
該液晶パネルの検査画像作成装置のモノクロＣＣＤカメラが出力する赤色、緑色、青色の成分を有する画像信号を所定のしきい値を用いて２値化する画像処理を行い、２値化画像について所定のしきい値により赤色、緑色、青色の成分のいずれかについての白色又は黒色の欠陥を検出する画像処理装置と、
を備えたことを特徴とする液晶パネルの外観検査装置。
【請求項９】
前記カラー液晶パネルの画面表示を白画面又は黒画面とするように駆動する液晶表示体駆動装置を備えたことを特徴とする請求項８記載の液晶パネルの外観検査装置。
【発明の詳細な説明】
【技術分野】
【０００１】
本発明はカラー液晶パネルの点灯検査における点灯外観検査にモノクロＣＣＤカメラを使用して検査するための液晶パネルの検査画像作成方法及び装置並びに外観検査方法及び装置に関するものである。
【背景技術】
【０００２】
従来のカラー液晶パネルの欠陥検査方法は、検査すべき液晶パネルの表示画像の光像を三色毎にカラーＣＣＤカメラで取り込み、２値化した各原色の画像の同じ画素領域の輝度レベルがそれぞれ一定値以上の場合にその画素領域に対応する液晶パネルの表示画面の点が白色であると判別するようにしたから、液晶パネルにおける白色の輝点をを正しく認識することができ、その結果、例えば、表示画面上のカラーフィルターの色抜け点やブラックマスクのピンホール等による光抜けを容易に検出することができるものである（例えば、特許文献１参照）。
【０００３】
また、従来の別のカラー液晶パネルの欠陥検査方法は、赤色絵素、緑色絵素ならびに青色絵素を一定の法則で配列して構成される検査対象であるカラー液晶パネルの全絵素を消灯させ、このときモノクロカメラで撮影した画像の点灯している絵素を色判定対象の欠陥絵素として検出し、次に上記カラー液晶パネルの絵素を色別に順次点灯させ、このときモノクロカメラで撮影した画像の点灯している各色の絵素と明るさの異なるものを、上記色判定対象の欠陥絵素の中から検出し、次に全絵素を消灯させた時の検出結果と各色絵素を点灯させた時の検出結果を比較することにより、上記色判定対象の欠陥絵素のうち、赤色絵素が点灯したときに検出されなかった欠陥絵素の色を赤色と判定し、緑色絵素が点灯したときに検出されなかった欠陥絵素の色を緑色と判定し、青色絵素が点灯したときに検出されなかった欠陥絵素の色を青色と判定することができるので、検査対象であるカラー液晶パネルの位置合わせを高精度に行わなくても、色判定を行うことができるものである（例えば、特許文献２参照）。
【０００４】
【特許文献１】特開平８−６２１５２号公報（第３〜４頁、図１）
【特許文献２】特開平６−２３６１６２号公報（第２〜３頁、図３）
【発明の開示】
【発明が解決しようとする課題】
【０００５】
特許文献１に記載の従来のカラー液晶パネルの欠陥検査方法は、検査すべき液晶パネルの表示画像の光像を三色毎にカラーＣＣＤカメラで取り込み、２値化した各原色の画像の同じ画素領域の輝度レベルがそれぞれ一定値以上の場合にその画素領域に対応する液晶パネルの表示画面の点が白色であると判別するようにしている。
このように、三色毎にカラーＣＣＤカメラで取り込み、２値化した各原色の画像の輝度レベルをそれぞれのしきい値で判別するのは、カラー液晶パネルに内蔵されているカラーフィルターのＲ、Ｇ、Ｂ毎に透過光量が異なるからであり、そのため検査処理画像としてはカラーＣＣＤカメラで取り込んだ三色毎の３画像が必要となり、３画像の各々について２値化処理し、それぞれについて欠陥判定するようにしているから、処理時間がかかるという問題点があった。
【０００６】
また、特許文献２に記載の従来のカラー液晶パネルの欠陥検査方法は、赤色絵素、緑色絵素ならびに青色絵素を一定の法則で配列して構成される検査対象であるカラー液晶パネルの全絵素を消灯させ、このときモノクロカメラで撮影した画像の点灯している絵素をいろ判定対象の欠陥絵素として検出し、次に上記カラー液晶パネルの絵素を色別に順次点灯させ、このときモノクロカメラで撮影した画像の点灯している各色の絵素と明るさの異なるものを、上記色判定対象の欠陥絵素の中から検出し、次に全絵素を消灯させた時の検出結果と各色絵素を点灯させた時の検出結果を比較することにより、上記色判定対象の欠陥絵素のうち、欠陥絵素の各色を判定するようにしているから、モノクロカメラを使用する方法では画像取り込みが、カラー液晶パネルの全絵素を消灯させたときと、カラー液晶パネルの絵素を赤色、緑色及び青色の色別に順次点灯させたときの４回行うため、４画像が必要となり、４画像についてそれぞれ欠陥判定するようにしているため、処理時間がかかるという問題点があった。
【０００７】
また、白又は黒画面を表示するカラー液晶パネルを撮影するモノクロＣＣＤカメラ側にＲ、Ｇ、Ｂフィルターを設置し、モノクロＣＣＤカメラが各Ｒ、Ｇ、Ｂフィルター毎の画像について画像処理して欠陥検出を行う方法も一般に知られているが、この方法の場合も、カラーフィルターのＲ、Ｇ、Ｂ毎に透過光量が異なるために検査処理画像としてはモノクロＣＣＤカメラで取り込んだ各フィルター毎に３画像が必要となり、３画像の各々について欠陥判定するようにしてから、処理時間がかかるという問題点があった。
そこで、本発明はかかる問題点を解決するためになされたもので、カラー液晶パネルの外観検査にモノクロＣＣＤカメラを使用しても、検査時間の短縮化が図れる液晶パネルの検査画像作成方法及び装置並びに外観検査方法と検査装置を得ることを目的とする。
【課題を解決するための手段】
【０００８】
（１）本発明の液晶パネルの検査画像作成方法は、ダイクロイックフィルターにより赤色、緑色、青色の成分の透過光量を同一レベルに調整したカラー液晶パネルのカラー画像をモノクロＣＣＤカメラで取り込むことを特徴としている。
【０００９】
本発明によれば、ダイクロイックフィルターにより赤色、緑色、青色の成分の透過光量を同一レベルに調整したカラー液晶パネルのカラー画像をモノクロＣＣＤカメラで取り込むようにしたので、モノクロＣＣＤカメラはカラー液晶パネルのカラー画像の赤色、緑色、青色の成分について同一の輝度信号を出力することとなり、１画面処理でカラー液晶パネルの外観検査を行うことが可能になり、検査時間を短縮することができる。
【００１０】
（２）また、本発明の液晶パネルの検査画像作成方法において、前記カラー液晶パネルと前記モノクロＣＣＤカメラとの間に前記ダイクロイックフィルターを配置している。
こうすることにより、カラー液晶パネルのカラー画像の赤色、緑色、青色の成分について透過光量を同一レベルに調整することができる。
【００１１】
（３）さらに、本発明の液晶パネルの検査画像作成方法において、前記カラー液晶パネルはバックライトでバックライト照明され、該バックライトと該カラー液晶パネルとの間に前記ダイクロイックフィルターを配置している。
こうすることにより、バックライトによるバックライト照明に含まれる赤色、緑色、青色の成分について透過光量を同一レベルに調整することができる。
【００１２】
（４）本発明の液晶パネルの外観検査方法は、前記（１）〜（３）のいずれかに記載の液晶パネルの検査画像作成方法により作成されたカラー液晶パネルのカラー画像を取り込んだモノクロＣＣＤカメラが出力する赤色、緑色、青色の成分を有する画像信号を所定のしきい値を用いて２値化する画像処理を行い、２値化画像について所定のしきい値により赤色、緑色、青色の成分のいずれかについての白色又は黒色の欠陥を検出するようにしたものである。
【００１３】
本発明によれば、前記（１）〜（３）のいずれかに記載の液晶パネルの検査画像作成方法により作成されたカラー液晶パネルのカラー画像を取り込んだモノクロＣＣＤカメラが出力する赤色、緑色、青色の成分を有する画像信号を所定のしきい値を用いて２値化する画像処理を行い、２値化画像について所定のしきい値により赤色、緑色、青色の成分のいずれかについての白色又は黒色の欠陥を検出するようにしたので、カラー液晶パネルにおける白色又は黒色の欠陥を１画面処理で正しく認識することができる外観検査を行うことが可能となり、液晶パネルのカラーフィルターの色抜け点やブラックマスクのピンホール等による光抜けの検査時間を短縮することができる。
【００１４】
（５）本発明の液晶パネルの検査画像作成装置は、カラー画像を表示するカラー液晶パネルと、カラー液晶パネルのカラー画像を取り込むモノクロＣＣＤカメラと、モノクロＣＣＤカメラに取り込まれるカラー液晶パネルのカラー画像の赤色、緑色、青色の成分の透過光量を同一レベルに調整するダイクロイックフィルターとを備えてなるものである。
【００１５】
本発明によれば、ダイクロイックフィルターにより赤色、緑色、青色の成分の透過光量を同一レベルに調整したカラー液晶パネルのカラー画像をモノクロＣＣＤカメラで取り込むから、モノクロＣＣＤカメラはカラー液晶パネルのカラー画像の赤色、緑色、青色の成分について同一の輝度信号を出力することとなり、１画面処理でカラー液晶パネルの外観検査を行うことが可能になり、検査時間を短縮することができる。
【００１６】
（６）本発明の液晶パネルの検査画像作成装置は、前記カラー液晶パネルと前記モノクロＣＣＤカメラとの間に前記ダイクロイックフィルターを配置したものである。
このように構成することにより、カラー液晶パネルのカラー画像の赤色、緑色、青色の成分について透過光量を同一レベルに調整することができる。
【００１７】
（７）また、本発明の液晶パネルの検査画像作成装置は、前記カラー液晶パネルをバックライト照明するバックライトを備え、該バックライトと該カラー液晶パネルとの間に前記ダイクロイックフィルターを配置したものである。
このように構成することにより、バックライトによるバックライト照明に含まれる赤色、緑色、青色の成分について透過光量を同一レベルに調整することができる。
【００１８】
（８）また、本発明の液晶パネルの外観検査装置は、前記（５）〜（７）のいずれかに記載の液晶パネルの検査画像作成装置と、該液晶パネルの検査画像作成装置のモノクロＣＣＤカメラが出力する赤色、緑色、青色の成分を有する画像信号を所定のしきい値を用いて２値化する画像処理を行い、２値化画像について所定のしきい値により赤色、緑色、青色の成分のいずれかについての白色又は黒色の欠陥を検出する画像処理装置とを備えてなるものである。
【００１９】
本発明によれば、前記（５）〜（７）のいずれかに記載の液晶パネルの検査画像作成装置により作成されたカラー液晶パネルのカラー画像をモノクロＣＣＤカメラで取り込み、モノクロＣＣＤカメラが出力する赤色、緑色、青色の成分を有する画像信号を所定のしきい値を用いて２値化する画像処理を行い、２値化画像について所定のしきい値により赤色、緑色、青色の成分のいずれかについての白色又は黒色の欠陥を検出するようにしたから、カラー液晶パネルにおける白色又は黒色の欠陥を１画面処理で正しく認識することができる外観検査を行うことが可能となり、液晶パネルのカラーフィルターの色抜け点やブラックマスクのピンホール等による光抜けの検査時間を短縮することができる。
また、モノクロＣＣＤカメラを使用することにより、カラーＣＣＤカメラを使用する場合に比べて検査装置の低価格化を図ることができる。
【００２０】
（９）また、本発明の液晶パネルの外観検査装置において、前記カラー液晶パネルの画面表示を白画面又は黒画面とするように駆動する液晶表示体駆動装置を備えたものである。
このように構成することにより、液晶表示体駆動装置がカラー液晶パネルの画面表示を白画面又は黒画面とすることができるため、白色又は黒色の欠陥を検出することが可能となった。
【発明の効果】
【００２１】
本発明の液晶パネルの検査画像作成方法は、ダイクロイックフィルターにより赤色、緑色、青色の成分の透過光量を同一レベルに調整したカラー液晶パネルのカラー画像をモノクロＣＣＤカメラで取り込むようにしたので、モノクロＣＣＤカメラはカラー液晶パネルのカラー画像の赤色、緑色、青色の成分について同一の輝度信号を出力することとなり、１画面処理でカラー液晶パネルの外観検査を行うことが可能になり、検査時間の短縮ができる。
【発明を実施するための最良の形態】
【００２２】
実施の形態１．
図１は本発明の実施の形態１の液晶パネルの外観検査装置の概略構成を示すブロック図、図２はダイクロイックフィルターの作用を示す説明図、図３はモノクロＣＣＤカメラが出力する信号の輝度プロファイルを示すグラフ、図４は同液晶パネルの外観検査装置を用いた液晶パネルの外観検査方法を示すフローチャートである。
図１において、１は凹部を有する液晶表示体セット冶具、２は液晶表示体セット冶具１の凹部内の底部に設置された透過照明をを行うバックライト、３は液晶表示体セット冶具１の凹部内でバックライト２の上に設置された検査すべき液晶表示体としてのカラー液晶パネルである。
【００２３】
このカラー液晶パネル３は赤色、緑色、青色（以下、Ｒ、Ｇ、Ｂという）のカラーフィルターを有する液晶５を挟んだ２枚のガラス板６からなる液晶セル４と、液晶セル４の上下に配置された一組の上・下偏光板７とで構成されている。
また、２枚のガラス板６の間には液晶４の他にＲ、Ｇ、ＢのカラーフィルターＲＦ、ＧＦ、ＢＦが配置されている。また、これら上・下偏光板７の偏向方向は直交するように配置される。そして、液晶パネル３の上偏光板７は液晶表示体セット冶具１の上部に取り付けられた液晶パネル押さえ冶具８で固定されている。また、液晶パネル３の下偏光板７とバックライト２との間にはダイクロイックフィルター９が介装されている。
【００２４】
このダイクロイックフィルター９は屈折率のそれぞれ異なる誘電体の多層膜により、２つ以上の波長域の光を分離して特定の色彩を持つ光を取り出すと共に、取り出す特定の色彩を持つ光の透過光量を同一レベルに調整するものである。
図２は上記のことを示しており、バックライト２が白色透過照明を液晶パネル３に当てた場合、図２の（ａ１）のようにカラー液晶パネル３とバックライト２との間にダイクロイックフィルター９が介装されていないものでは、カラー液晶パネル３のＲ、Ｇ、ＢのカラーフィルターＲＦ、ＧＦ、ＢＦをそれぞれ透過したＲ、Ｇ、Ｂの成分の光の透過量はＲ成分の光が最も多く、次にＢ成分の光が多く、Ｇ成分の光が最も少ないというようにレベルが異なるのが通例である。
【００２５】
従って、後述のモノクロＣＣＤカメラがカラー液晶パネル３から取り込んだＲ、Ｇ、Ｂの画像は図２の（ａ２）のように明るさが異なり、モノクロＣＣＤカメラが出力するＲ、Ｇ、Ｂの輝度信号の出力値は図３の点線で示すように輝度値は異なることになる。
他方、図２の（ｂ１）のようにカラー液晶パネル３とバックライト２との間にダイクロイックフィルター９が介装されているものでは、カラー液晶パネル３のＲ、Ｇ、ＢのカラーフィルターＲＦ、ＧＦ、ＢＦをそれぞれ透過したＲ、Ｇ、Ｂ成分の光の透過量はダイクロイックフィルター９の作用により同一レベルとなる。
従って、モノクロＣＣＤカメラがカラー液晶パネル３から取り込んだＲ、Ｇ、Ｂの画像は図２の（ｂ２）のように明るさが略同じとなり、モノクロＣＣＤカメラ１１が出力するＲ、Ｇ、Ｂの輝度信号の出力値は図３の実線で示すように輝度値も略同じレベルになる。
【００２６】
この液晶パネル２の液晶セル４は液晶表示体駆動装置１０に接続されている。また、液晶パネル３の上偏光板４の上方には、液晶パネル３の画像を取り込むためのモノクロＣＣＤカメラ１１が配置されている。このモノクロＣＣＤカメラ１１は、モノクロＣＣＤカメラ１１からの信号に基づいて画像処理を行うためのコンピュータである画像処理装置１２に接続されている。画像処理装置１２は、モノクロＣＣＤカメラ１１にて得られた各色を白、黒の色に変換した輝度信号を処理するように構成されている。
そして、液晶表示体セット冶具１からモノクロＣＣＤカメラ１１で液晶パネルの検査画像作成装置が構成され、この液晶パネルの検査画像作成装置に画像処理装置１２が加わって液晶パネルの外観検査装置が構成される。
【００２７】
次に、本発明の実施の形態１の液晶パネルの外観検査装置を用いて液晶パネルの外観検査方法について図３のフローチャートに基づいて説明する。
まず、バックライト２により白色透過照明されたカラー液晶パネル３について、液晶表示体駆動装置１０の駆動により白画面を表示させる（ステップＳ１）。
このとき、カラー液晶パネル３のＲ、Ｇ、ＢのカラーフィルタＲＦ、ＧＦ、ＢＦからはそれぞれを透過したＲ、Ｇ、Ｂ成分の光が出射されている。
次に、カラー液晶パネル３の表示画面の画像をモノクロＣＣＤカメラ１１で取り込む（ステップＳ２）。
【００２８】
この場合、カラー液晶パネル３のＲ、Ｇ、ＢのカラーフィルタＲＦ、ＧＦ、ＢＦから出射されるＲ、Ｇ、Ｂの成分の光の透過量は、ダイクロイックフィルター９により同一レベルに調整されている。
従って、ステップＳ１からステップＳ２までで、液晶パネルの検査画像作成方法が構成される。
次に、カラー液晶パネル３の表示画面の画像をモノクロＣＣＤカメラ１１で撮像すると、モノクロＣＣＤカメラ１１はＲ、Ｇ、Ｂの成分の光について同一の輝度信号を出力する。そして、モノクロＣＣＤカメラ１１にて得られたＲ、Ｇ、Ｂの信号は画像処理装置１２に入力される。
【００２９】
さらに、画像処理装置１２において、モノクロＣＣＤカメラ１１から出力されたＲ、Ｇ、Ｂの信号を所定のしきい値を用いて２値化する画像処理を行う（ステップＳ３）。そして、以下に説明する処理により、白色の輝点、即ち白色欠陥の有無の判定を行う。
まず、同じ画素領域のＲ、Ｇ、Ｂの２値化画像について、それぞれのうち１つが何らかの原因で色抜けし、白色に見える白色の輝点の有無、即ち白色の欠陥判定レベルを示す所定の閾値以上であれば、その画素領域について白色の輝点、即ち白色の欠陥であると認定し、いずれもが白色の輝点の有無、即ち白色の欠陥判定レベルを示す所定の閾値以以下であれば、その画領域については白色の欠陥がない正常なものと判定する（ステップＳ４）。
従って、ステップＳ１からステップＳ４までで、液晶パネルの外観検査方法が構成される。
【００３０】
以上の説明は、液晶パネル２を液晶表示体駆動装置によって白色の画像を表示させるようにし、白色の輝点、即ち白色の欠陥を検出するようにしたものであるが、液晶パネル２を液晶表示体駆動装置によって黒色の画像を表示させるようにすれば、黒色の輝点、即ち黒色の欠陥を検出することができることはいうまでもない。
【００３１】
上述したように本発明の実施の形態１の液晶パネルの外観検査方法によれば、バックライト２の白色透過照明からの光でＲ、Ｇ、Ｂの成分については、ダイクロイックフィルター９により透過光量を同一レベルに調整し、カラー液晶パネル３のＲ、Ｇ、Ｂのカラーフィルタを透過した三色の画像をモノクロＣＣＤカメラ１１で取り込み、モノクロＣＣＤカメラ１１が出力するＲ、Ｇ、Ｂの成分について同一の輝度信号を画像処理装置１２が所定のしきい値を用いて２値化する画像処理を行い、同じ画素領域のＲ、Ｇ、Ｂの２値化画像について、それぞれのうち１つが何らかの原因で色抜けし、白色に見える白色の輝点、即ち白色欠陥の有無を示す所定の閾値以上であれば、その画素領域について白色の輝点、即ち白色の欠陥であると認定するようにしたから、カラー液晶パネル３における白色の欠陥を１画面処理で正しく認識することができる外観検査を行うことが可能となり、液晶パネルのカラーフィルターの色抜け点やブラックマスクのピンホール等による光抜けの検査時間の短縮ができる。
また、モノクロＣＣＤカメラ１１を使用することにより、カラーＣＣＤカメラを使用する場合に比べて検査装置の低価格化をはかることができる。
【００３２】
実施の形態２．
図５は本発明の実施の形態２の液晶パネルの外観検査装置の概略構成を示すブロック図である。
この実施の形態２は、実施の形態１と異なり、ダイクロイックフィルターの配置を換えたものである。
即ち、この実施の形態２では、ダイクロイックフィルター９をカラー液晶パネル３とモノクロＣＣＤカメラ１１との間で、モノクロＣＣＤカメラ１１寄りに配置したものである。
この実施の形態２の場合には、バックライト２の白色透過照明からの光でＲ、Ｇ、Ｂの成分は、カラー液晶パネル３のＲ、Ｇ、Ｂのカラーフィルタを透過した後にダイクロイックフィルター９により透過光量を同一レベルに調整されてモノクロＣＣＤカメラ１１に取り込まれる。
【００３３】
従って、モノクロＣＣＤカメラ１１はＲ、Ｇ、Ｂの成分について同一の輝度信号を実施の形態１と同様に出力することとなり、それ以降は実施の形態１と同様に画像処理を行い、カラー液晶パネル３における白色の輝点、即ち白色の欠陥の有無の判定を行う。
この実施の形態２では、ダイクロイックフィルター９をカラー液晶パネル３とモノクロＣＣＤカメラ１１との間に配置するようにしたので、液晶表示体セット冶具１内にダイクロイックフィルター９が設置されないため、その分だけ液晶表示体セット冶具１の小型化を図ることができると共にダイクロイックフィルター９の交換が容易になる。
【００３４】
なお、この実施の形態２の液晶パネルの外観検査装置を用いても、液晶パネル２を液晶表示体駆動装置１０によって黒色の画像を表示させるようにすれば、黒色の欠陥を検出することができることはいうまでもない。
また、本発明の液晶パネルの検査画像作成方法及び装置で作成されたカラー液晶パネルのカラー画像を取り込んだモノクロＣＣＤカメラの出力値は、実施の形態１及び２で述べた白色又は黒色の欠陥検出方法以外の公知である種々の欠陥検出方法に応用できることはいうまでもない。
【産業上の利用可能性】
【００３５】
本発明は、上述したバックライト照明される液晶パネル、有機液晶パネル等の液晶表示装置に限らず、液晶カラーフィルタ等の他の表示装置の外観検査にも適用しうることは勿論である。
【図面の簡単な説明】
【００３６】
【図１】本発明の実施の形態１の液晶パネルの外観検査装置の概略構成を示すブロック図。
【図２】ダイクロイックフィルターの作用を示す説明図。
【図３】モノクロＣＣＤカメラが出力する信号の輝度プロファイルを示すグラフ。
【図４】液晶パネルの外観検査方法を示すフローチャート。
【図５】本発明の実施の形態２の液晶パネルの外観検査装置の概略構成を示すブロック図。
【符号の説明】
【００３７】
２  バックライト、３  カラー液晶パネル、９  ダイクロイックフィルター、１０液晶表示体駆動装置、１１  モノクロＣＣＤカメラ、１２  画像処理装置。
【図１】
2005148670.tif 000003
【図２】
2005148670.tif 000004
【図３】
2005148670.tif 000005
【図４】
2005148670.tif 000006
【図５】
2005148670.tif 000007